(57)【要約】【課題】  屋根を損傷することなく設置することができる命綱係合装置を提供する。【解決手段】  命綱係合装置１は、棒部材２と、棒部材２の軸方向２１に離間する少なくとも二つの第１支持部材３と、第１支持部材３に連結される第２支持部材４と、第２支持部材４を屋根に連結する連結部材５とを備える。棒部材２は、軸方向２１が屋根の頂部に位置する大棟に沿って延びるように配置する。第１支持部材３は、大棟を挟んでその両側にそれぞれ位置し、第２支持部材４に固定される。第２支持部材４には連結部材５を固定するが、連結部材５は大棟１１が延びる軸方向２１に沿って延びるとともに、大棟１１に対してほぼ対象に一対設けられる。各連結部材５には、軸方向２１に離間する３つの第２支持部材４がそれぞれ離間して固定される。連結部材５によって、横葺屋根のはぜ１２を挟持することによって、命綱係合装置１全体を屋根１０に固定することができる。【選択図】図１
2019007178.tif 000002
【特許請求の範囲】
【請求項１】
命綱を係合することができる棒部材と、前記棒部材の軸方向に離間する少なくとも２つの支持部材と、前記支持部材を屋根に連結する連結部材とを備える命綱係合装置であって、
前記連結部材は、一対設けられるとともに前記棒部材を挟んでその両側にそれぞれ配置され、前記軸方向へ延びるとともに互いに対向する第１板状部および第２板状部と、前記第１板状部および前記第２板状部を互いに押し付ける方向へと押圧固定する押圧固定手段とを備えることを特徴とする命綱係合装置。
【請求項２】
前記第１板状部および前記第２板状部は、一枚の金属板を中央折曲線を介して折り曲げることによって形成され、
前記金属板には、前記中央折曲線に沿って設けられたスリットを備えることを特徴とする請求項１の命綱係合装置。
【請求項３】
前記第１板状部は、互いに離間対向する第１遠位縁および第１近位縁を備え、前記第２板状部は、互いに離間対向する第２遠位縁および第２近位縁を備え、前記第１遠位縁および前記第２遠位縁がこれら縁に沿って延びる第１側部折曲線および第２側部折曲線に沿って折り曲げられることを特徴とする請求項１または２記載の命綱係合装置。
【請求項４】
前記支持部材は、前記棒部材を保持する第１支持部材と、前記連結部材に固定される第２支持部材とを備え、前記第１支持部材の両端に前記第２支持部材がそれぞれ配置されることを特徴とする請求項１〜３のいずれかに記載の命綱係合装置。
【発明の詳細な説明】
【技術分野】
【０００１】
この発明は、建物の屋根における作業時に命綱を取付ける命綱係合装置に関し、より詳細には、屋根の雪下ろし時に使用する命綱係合装置に関する。
【背景技術】
【０００２】
従来、屋根の作業時に用いる命綱係合装置が知られている。命綱係合装置は、作業者の身体に取付けた命綱を係合するものであり、作業者が足を滑らせたような場合でも、作業者が屋根から地面に転落するのを防止することができる。
【先行技術文献】
【特許文献】
【０００３】
【特許文献１】実用新案登録第３１９２２４３号公報
【発明の概要】
【発明が解決しようとする課題】
【０００４】
特許文献１に記載された命綱係合装置において、棒部材を支持する支持部材を、ねじ等を用いて屋根に固定している。したがって、屋根に穴を開けなければならいという問題があった。
【０００５】
この発明は、屋根を損傷することなく設置することができる命綱係合装置を提供することを課題とする。
【課題を解決するための手段】
【０００６】
この発明は、命綱を係合することができる棒部材と、前記棒部材の軸方向に離間する少なくとも２つの支持部材と、前記支持部材を屋根に連結する連結部材とを備える命綱係合装置であって、前記連結部材は、一対設けられるとともに前記棒部材を挟んでその両側にそれぞれ配置され、前記軸方向へ延びるとともに互いに対向する第１板状部および第２板状部と、前記第１板状部および前記第２板状部を互いに押し付ける方向へと押圧固定する押圧固定手段とを備えることを特徴とする。
【０００７】
前記第１板状部および前記第２板状部は、一枚の金属板を中央折曲線を介して折り曲げることによって形成され、前記金属板には、前記中央折曲線に沿って設けられたスリットを備えることを特徴とする。
【０００８】
前記第１板状部は、互いに離間対向する第１遠位縁および第１近位縁を備え、前記第２板状部は、互いに離間対向する第２遠位縁および第２近位縁を備え、前記第１遠位縁および前記第２遠位縁がこれら縁に沿って延びる第１側部折曲線および第２側部折曲線に沿って折り曲げられることを特徴とする。
【０００９】
前記支持部材は、前記棒部材を保持する第１支持部材と、前記連結部材に固定される第２支持部材とを備え、前記第１支持部材の両端に前記第２支持部材がそれぞれ配置されることを特徴とする。
【発明の効果】
【００１０】
この発明に係る命綱係合装置の実施形態によれば、命綱を係合することができる棒部材を、支持部材を介して連結部材によって屋根に固定することができる。連結部材は対向する第１板状部および第２板状部を備え、これらの間に横葺のはぜを介在させるとともに、第１板状部および第２板状部を互いに押し付けて固定することによって、連結部材を屋根に固定することができる。したがって、屋根に穴をあけたりすることなく、棒部材を設置することができる。
【図面の簡単な説明】
【００１１】
【図１】この発明の実施形態に係る命綱係合装置の使用状態の斜視図。
【図２】図１の正面図。
【図３】第１支持部材の正面図。
【図４】第２支持部材および連結部材の正面図。
【図５】連結部材の展開図。
【発明を実施するための形態】
【００１２】
図１および図２に示したように、命綱係合装置１は、棒部材２と、棒部材２の軸方向２１に離間する少なくとも二つの第１支持部材３と、第１支持部材３に連結される第２支持部材４と、第２支持部材４を屋根に連結する連結部材５とを備える。この実施形態において、屋根材として金属製の横葺を用いた切妻屋根に命綱係合装置１を設置する。
【００１３】
棒部材２は、軸方向２１が屋根１０の頂部に位置する大棟１１に沿って延びるように配置される。棒部材２を支持する第１支持部材３は、大棟１１上に配置されるとともに、軸方向２１に離間して、３か所設けられる。各第１支持部材３は、大棟１１を挟んでその両側にそれぞれ位置し、第２支持部材４に固定される。すなわち、第１支持部材３に対して一対の第２支持部材４が配置される。第２支持部材４は、大棟１１に対してほぼ対象に配置される。第２支持部材４には連結部材５を固定するが、連結部材５は大棟１１が延びる軸方向２１に沿って延びるとともに、棒部材２を挟んでその両側に配置される。すなわち、連結部材５は、大棟１１を対称軸としてほぼ線対称に一対設けられる。各連結部材５には、軸方向２１に離間する３つの第２支持部材４がそれぞれ離間して固定される。連結部材５によって、横葺屋根のはぜ１２を挟持することによって、命綱係合装置１全体を屋根に固定することができる。
【００１４】
図３に示したように、第１支持部材３は、棒部材２を保持する棒保持部３１と、棒保持部３１の両端から延びる両端部３２とを備える。棒保持部３１には、棒部材２の径よりも大きく棒部材２を保持可能な保持孔３３が設けられ、両端部３２には第２支持部材４と連結するためのボルト３４を挿入する複数のボルト孔３５が設けられる。第１支持部材３は、棒保持部３１を頂点として両端部３２が図面下方へ傾斜する。この実施形態では、一対の第１支持部材３および第２支持部材４を２つのボルトで固定している。１つのボルトで固定した場合、このボルトを中心に第１支持部材３および第２支持部材４が回動する可能性があるが、２つのボルトで固定することによってこの回動を予防することができる。
【００１５】
図４に示したように、第２支持部材４は、一方の端部４１と、その反対側に位置する他方の端部４２とを備える。一方の端部４１の近傍には、ボルトを挿入する複数のボルト孔４３が設けられ、ボルトによって第１支持部材３の両端部３２と重なって連結される。ボルト孔４３は、長穴であり、第１支持部材３のボルト孔３５との間で相対移動可能である。他方の端部４２には、取付部４４が形成され、取付部４４を介して連結部材５に連結される
【００１６】
連結部材５は、互いに対向する第１板状部５１および第２板状部５２を備える。第１板状部５１は、軸方向２１に延びるとともに第２板状部５２と連結する第１近位縁５１ｂと、これに対向する第１遠位縁５１ａとを有し、同様に第２板状部５２も、軸方向２１に延びるとともに第１板状部５１と連結する第２近位縁５２ｂと、これに対向する第２近位縁５２ｂとを有する。この実施形態において、第１近位縁５１ｂと第２近位縁５２ｂの一部は互いに連続し、第１遠位縁５１ａと第２遠位縁５２ａは離間、対向する。第１遠位縁５１ａおよび第２遠位縁５２ａは、その近傍であって軸方向２１へ延びる第１側部折曲線５３および第２側部折曲線５４に沿って、互いに近づく方向へ折り曲げられる。折り曲げられた第１遠位縁５１ａおよび第２遠位縁５２ａで横葺屋根のはぜを挟持し、連結部材５を屋根に固定することができる。
【００１７】
図１および図２をともに参照すれば、第１板状部５１および第２板状部５２は、第１遠位縁５１ａおよび第２遠位縁５２ａの離間寸法を変更可能である。より具体的には、第１板状部５１および第２板状部５２に取付けられた押圧固定手段７によって第１遠位縁５１ａおよび第２遠位縁５２ａの離間寸法を変更可能である。押圧固定手段７として、ボルト７１およびナット７２を用いることができる。押圧固定手段７のボルト７１およびナット７２を締めることによって、第１遠位縁５１ａおよび第２遠位縁５２ａによるはぜの挟持を強固にすることができる。
【００１８】
連結部材５は、一枚の金属板６から製造される。図５に示したように、金属板６は、略矩形であり、第１側縁６１，第２側縁６２および両端縁６５によって画定される。第１側縁６１および第２側縁６２は、連結部材５の第１遠位縁５１ａおよび第２遠位縁５２ａにそれぞれ相当する。金属板６は、第１側縁６１および第２側縁６２の間に位置するとともに、一方の端縁６５から他方の端縁６５まで延びる中央折曲線６３を有する。金属板６は、中央折曲線６３を介して折り曲げることによって、中央折曲線６３よりも図面左側を第１板状部５１とし、図面右側を第２板状部５２とすることができる。中央折曲線６３が、第１近位縁５１ｂおよび第２近位縁５２ｂに相当する。
【００１９】
中央折曲線６３から第１遠位縁５１ａに相当する第１側縁６１までの寸法は、中央折曲線６３から第２遠位縁５２ａに相当する第２側縁６２までの寸法よりもわずかに大きい。この実施形態において、中央折曲線６３から第１側縁６１までの寸法は約５７．３ｍｍであり、中央折曲線６３から第２側縁６２までの寸法は約５７．０ｍｍである。また、第１遠位縁５１ａおよび第２遠位縁５２ａの長さ寸法は約１ｍである。
【００２０】
中央折曲線６３上には、中央折曲線６３に沿って延びるスリット６４が設けられる。スリット６４は、離間して複数配置される。スリット６４を設けることによって、金属板６を中央折曲線６３に沿って折り曲げやすくすることができる。
【００２１】
金属板６の第１板状部５１に相当する部分には、第２支持部材４の取付部４４が挿入可能な挿入口５５が設けられる。挿入口５５と取付部４４とは、溶接等によって互いに固定することができる。挿入口５５は、両端縁６５近傍および両端縁６５のほぼ中央との三か所に設けられる。金属板６の第１板状部５１に相当する部分には、ボルト７１を挿入する長円形の複数のボルト孔７３をさらに形成する。ボルト孔７３は、挿入口５５の両側および挿入口５５間のほぼ中央に設けられる。ボルト７１として、四角頭ボルトを用い、金属板６の第２板状部５２に相当する部分には、ボルト孔７３に対応する位置にボルトの四角形の頭が嵌合可能な四角孔７４を形成する。
【００２２】
上記のような構成において、金属板６を中央折曲線６３に沿って折り曲げ、ボルト７１を第１板状部５１側から第２板状部５２側に向かって挿入する。このとき、ボルト７１の頭を第２板状部５２に位置させるとともに、頭を四角孔７４に嵌合させる。ボルト７１の他端からナット７２を挿入し、これらを締めることによって、第１板状部５１の第１遠位縁５１ａと第２板状部５２の第２遠位縁５２ａとを互いに近づけ、これらの間で屋根１０のはぜ１２を挟持することができる。ボルト７１として四角頭ボルトを用い、これを四角孔７４に螺合させることによって、ボルトの頭を工具で固定しなくても空回りを防ぐことができる。したがって、工具が入らないはぜに対する取付も容易におこなうことができる。
【００２３】
第１遠位縁５１ａおよび第２遠位縁５２ａは、第１側部折曲線５３および第２側部折曲線５４に沿って、互いに近づく方向へ折り曲げることによって、より確実にはぜ１２を挟持することができる。また、第１遠位縁５１ａを第２遠位縁５２ａよりも折曲角度を大きくしている。このように異なる折曲角度にすることによって、挟持したはぜ１２から抜けにくくすることができる。同様に、中央折曲線６３から第１遠位縁５１ａまたは第２遠位縁５２ａまでの寸法を異なるようにすることによって、挟持したはぜ１２から連結部材５を抜けにくくすることができる。
【００２４】
このような構成の命綱係合装置１によれば、棒部材２に命綱を取付けることができる。棒部材２に命綱を取付けることによって、屋根の上の作業者は大棟１１に沿って軸方向２１に移動可能である。また、命綱を外すことなく大棟１１を挟んで反対側の屋根へと移動することも可能である。命綱係合装置１は、屋根１０の最上部に位置する大棟１１に取付けられるから、例えば屋根の雪下ろし等の作業の妨げにならない。また、大棟１１から延びる命綱も作業の邪魔になりにくい。
【００２５】
連結部材５は、大棟１１を挟んでその両側に設けられるから、例えば、その一方に外れる方向へと負荷が生じた場合であっても、連結部材５に固定された第２支持部材４、第１支持部材３を介して大棟１１の反対側の第２支持部材４および連結部材５へとその力が分散される。したがって、連結部材５が外れにくく、命綱係合装置１全体が屋根１０から脱落するのを予防することができる。さらに、連結部材５は、軸方向２１へと延びるので、より一層外れる方向の力が分散される。
【００２６】
上記のように、命綱係合装置１は、屋根１０に穴をあけたりすることなく設置することができるので、屋根１０を傷めることがない。また、連結部材５を用いて設置することにより、強固に命綱係合装置１を屋根１０に固定することができる。
【００２７】
この実施形態において、命綱係合装置１を構成する各部材として、鉄やステンレス等の金属の他、この技術の分野で用いられる通常の材料を用いることができる。また、各部材の寸法は、部材の強度や大きさ等に応じて適宜変更可能である。第１支持部材３および第２支持部材４は、少なくとも棒部材２の両端近傍に設けるものであり、その数を限定するものではない。第１支持部材３および第２支持部材４は、別々の部材であるが、これが同一の部材であってもよい。この実施形態において、第１支持部材３と第２支持部材４とを別部材とし、これらが相対的に移動可能とすることによって、棒部材２から連結部材５までの寸法調整をすることができ、屋根の形状や大きさが異なる場合であっても、命綱係合装置１を取り付けることができる。
【符号の説明】
【００２８】
１    命綱係合装置
２    棒部材
３    第１支持部材（支持部材）
４    第２支持部材（支持部材）
５    連結部材
６    金属板
７    押圧固定手段
２１    軸方向
５１    第１板状部
５１ａ  第１遠位縁
５１ｂ  第１近位縁
５２    第２板状部
５２ａ  第２遠位縁
５２ｂ  第２近位縁
５３    第１側部折曲線
５４    第２側部折曲線
６３    中央折曲線
６４    スリット
【図１】
2019007178.tif 000003
【図２】
2019007178.tif 000004
【図３】
2019007178.tif 000005
【図４】
2019007178.tif 000006
【図５】
2019007178.tif 000007